(57)【要約】【課題】低い周波数帯の騒音を低減可能な吸音器を提供する。【解決手段】吸音器５は、複数の第１孔が設けられ、第１面および第２面を有する側面部６２ａ（第１壁部）と、側面部６２ａの第１面に貼付された薄膜５１と、第２面に対向するとともに、第２面から離間した位置に設けられ、少なくとも一つの第２孔が設けられた隔壁６３（第２壁部）と、隔壁６３から離間した位置において第２壁部に対向するように設けられた多孔質材５２と、を備える。【選択図】図４
2019074626.tif 000002
【特許請求の範囲】
【請求項１】
複数の第１孔が設けられ、第１面および第２面を有する第１壁部と、
前記第１壁部の前記第１面または前記第２面に貼付された薄膜と、
前記第２面に対向するとともに、前記第２面から離間した位置に設けられ、少なくとも
一つの第２孔が設けられた第２壁部と、
前記第２壁部から離間した位置において前記第２壁部に対向するように設けられた多孔
質材と、
を備えることを特徴とする吸音器。
【請求項２】
請求項１に記載の吸音器であって、
当該吸音器は、直方体形状を有し、
前記第１壁部は前記直方体形状の１つの面を形成する側面部であり、
前記第２壁部は前記直方体形状の内部に設けられた隔壁であり、
前記多孔質材は前記直方体形状の内部に配置されていることを特徴とする吸音器。
【請求項３】
請求項１または請求項２に記載の吸音器であって、
前記第１孔の数は、前記第２孔の数より多いことを特徴とする吸音器。
【請求項４】
請求項１〜請求項３のいずれか一項に記載の吸音器であって、
前記第１壁部と前記第２壁部との間隔をＬ１、
前記第２壁部と前記多孔質材との間隔をＬ２としたとき、
Ｌ１＜Ｌ２であることを特徴とする吸音器。
【請求項５】
請求項４に記載の吸音器であって、
前記多孔質材の前記第２壁部から離間する方向における長さをＬ３としたとき、
Ｌ２＜Ｌ３であることを特徴とする吸音器。
【請求項６】
請求項１〜請求項５のいずれか一項に記載の吸音器であって、
前記多孔質材は、グラスウール、ウレタン、フエルト、ポリプロピレン、ロックウール
のうち少なくとも一つからなることを特徴とする吸音器。
【請求項７】
請求項１〜請求項６のいずれか一項に記載の吸音器であって、
前記薄膜は、樹脂層と接着層とを含み、前記樹脂層の厚さが前記接着層の厚さよりも薄
いことを特徴とする吸音器。
【請求項８】
光源、光変調装置、および投写レンズを備えたプロジェクターであって、
回転体を有する回転装置と、
請求項１〜請求項７のいずれか一項に記載の吸音器と、
を備えることを特徴とするプロジェクター。
【請求項９】
請求項８に記載のプロジェクターであって、
前記回転装置は、冷却ファンであり、
前記冷却ファンから送出された空気を当該プロジェクター内の冷却対象に導く流路をさ
らに備え、
前記吸音器は前記流路に取り付けられ、
前記吸音器の前記第１壁部が、前記流路を形成する壁部の一部を構成していることを特
徴とするプロジェクター。
【発明の詳細な説明】
【技術分野】
【０００１】
本発明は、吸音器およびプロジェクターに関する。
【背景技術】
【０００２】
従来、光源から射出された光を画像情報に応じて変調し、変調した光を投写するプロジ
ェクターが知られている。プロジェクターは、光源や光源からの光を受光する部材の温度
上昇を抑制するために、冷却ファン等を備えた冷却装置を備えている。そして、プロジェ
クターは、この冷却ファンが駆動されることに伴って騒音が発生するため、この騒音を低
減する技術が提案されている（例えば、特許文献１参照）。
【０００３】
特許文献１に記載のプロジェクター（画像形成装置）は、３つのヘルムホルツ消音器か
ら構成された消音器を備えている。各ヘルムホルツ消音器は、頸部と共鳴箱部とから構成
されている。そして、それぞれのヘルムホルツ消音器は、互いに共鳴箱の大きさが異なり
、互いに異なる周波数の音を低減するようになっている。また、隣り合う共鳴箱部の間に
はスペース部が設けられており、互いの騒音低減効果を妨げないようになっている。
【先行技術文献】
【特許文献】
【０００４】
【特許文献１】特開２０１５−１６９７０１号公報
【発明の概要】
【発明が解決しようとする課題】
【０００５】
冷却ファンの騒音は、羽根の回転に伴う周期的な圧力変動を起因とする回転騒音等を含
んでいる。この回転騒音は、特定の周波数において音量ピークを有するようなプロファイ
ルを示す。より詳細には、騒音の音量と周波数の関係とをプロットした際、異なる周波数
において複数のピークが存在する。ピークが複数存在する原因は、ある周波数の騒音に対
して、その倍音成分に相当する周波数の音が発生していることである。つまり、複数のピ
ークのそれぞれの周波数は互いにほぼ整数倍の関係にある。このため、プロジェクターの
ような電子機器に搭載される冷却ファンの騒音を低減するためには、複数の倍音成分を消
音する必要がある。つまり幅広い周波数帯域において消音を行わなければならない。
ところで、一般にプロジェクターでは冷却ファンが外装筐体内に配置されている。本出
願の発明者によって得られた知見によれば、冷却ファンの駆動に伴う騒音のうち、比較的
高い周波数帯（例えば、１，０００Ｈｚを超えるような周波数帯）の騒音は、外装筐体に
よって吸収されやすいのに対し、比較的低い周波数帯（例えば、１，０００Ｈｚ以下の周
波数帯）の騒音は外装筐体によって吸収されにくいため、プロジェクター全体として発す
る騒音は、この低い周波数帯の成分が多くを占めると考えられる。
そして、１０００Ｈｚ以下の周波数帯においても、前述したように複数の倍音成分が存
在するので、プロジェクターの騒音低減のためには、主に１０００Ｈｚ以下の低音域にお
いて複数の倍音成分を消音しなくてはならないという課題があることが判明した。
さらに、近年においては、光源の高輝度化に伴い、光源などの発熱が従来よりも格段に
増大しているため、冷却ファンの回転数やパワーを増大させる必要があり、その結果、従
来のプロジェクターに比べて低音域での騒音が大幅に増大している。このため、特許文献
１に記載されたような従来の消音器の能力は、これらの低音域の騒音を消音するためには
不十分であるという新たな課題が生じている。
【課題を解決するための手段】
【０００６】
本発明は、上述の課題の少なくとも一部を解決するためになされたものであり、以下の
形態または適用例として実現することが可能である。
【０００７】
［適用例１］本適用例に係る吸音器は、複数の第１孔が設けられ、第１面および第２面
を有する第１壁部と、前記第１壁部の前記第１面または前記第２面に貼付された薄膜と、
前記第２面に対向するとともに、前記第２面から離間した位置に設けられ、少なくとも一
つの第２孔が設けられた第２壁部と、前記第２壁部から離間した位置において前記第２壁
部に対向するように設けられた多孔質材と、を備えることを特徴とする。
【０００８】
この構成によれば、吸音器は、薄膜が貼付された第１壁部、および第１壁部と第２壁部
との間の空間で構成された第１の吸音部と、第２壁部および第２壁部と多孔質材との間の
空間で構成された第２の吸音部と、多孔質材で構成された第３の吸音部と、を有している
。これによって、第１の吸音部における薄膜の振動によって音波の一部を吸収させること
に加え、残りの音波を主に第１孔から第２の吸音部、第３の吸音部に伝搬させ、それぞれ
の吸音部に応じて吸音させることが可能となる。よって、広い周波数帯、特に低周波数帯
（５００〜１，０００Ｈｚの周波数帯）における騒音を低減する吸音器の提供が可能とな
る。また、この低周波数帯は人間が感知し易い周波数帯であり、この低周波数帯の騒音を
低減することは、プロジェクターなどの電子機器における騒音低減に顕著な効果を奏する
。
【０００９】
［適用例２］上記適用例に係る吸音器において、当該吸音器は、直方体形状を有し、前
記第１壁部は前記直方体形状の１つの面を形成する側面部であり、前記第２壁部は前記直
方体形状の内部に設けられた隔壁であり、前記多孔質材は前記直方体形状の内部に配置さ
れていることが好ましい。
【００１０】
この構成によれば、簡単な構成で第１、第２、および第３の吸音部を備える吸音器を構
成することが可能となる。よって、容易に製造できる吸音器の提供が可能となる。
【００１１】
［適用例３］上記適用例に係る吸音器において、前記第１孔の数は、前記第２孔の数よ
り多いことが好ましい。
【００１２】
［適用例４］上記適用例に係る吸音器において、前記第１壁部と前記第２壁部との間隔
をＬ１、前記第２壁部と前記多孔質材との間隔をＬ２としたとき、Ｌ１＜Ｌ２であること
が好ましい。
【００１３】
［適用例５］上記適用例に係る吸音器において、前記多孔質材の前記第２壁部から離間
する方向における長さをＬ３としたとき、Ｌ２＜Ｌ３であることが好ましい。
【００１４】
［適用例６］上記適用例に係る吸音器において、前記多孔質材は、グラスウール、ウレ
タン、フエルト、ポリプロピレン、ロックウールのうち少なくとも一つからなることが好
ましい。
【００１５】
［適用例７］上記適用例に係る吸音器において、前記薄膜は、樹脂層と接着層とを含み
、前記樹脂層の厚さが前記接着層の厚さよりも薄いことが好ましい。
【００１６】
［適用例８］本適用例に係るプロジェクターは、光源、光変調装置、および投写レンズ
を備えたプロジェクターであって、回転体を有する回転装置と、上記に記載の吸音器と、
を備えることを特徴とする。
【００１７】
この構成によれば、回転装置（例えば、モーターやファン等）を備えたプロジェクター
において、この回転装置の駆動に伴う騒音を吸音器によって、低減することができる。よ
って、低騒音化が可能なプロジェクターを提供できる。
【００１８】
［適用例９］上記適用例に係るプロジェクターにおいて、前記回転装置は、冷却ファン
であり、前記冷却ファンから送出された空気を当該プロジェクター内の冷却対象に導く流
路をさらに備え、前記吸音器は前記流路に取り付けられ、前記吸音器の前記第１壁部が、
前記流路を形成する壁部の一部を構成していることが好ましい。
【００１９】
この構成によれば、吸音器は、冷却ファンから送風された空気が流通する流路を形成す
る壁部の一部を利用して構成されている。これによって、吸音器は、冷却ファンの動作音
はもとより、冷却ファンから送風された空気の風切音を効率良く低減させることが可能と
なる。
【図面の簡単な説明】
【００２０】
【図１】実施形態１のプロジェクターの概略構成を示す模式図。
【図２】実施形態１のプロジェクター内部の一部を示す斜視図。
【図３】図２とは異なる方向から見たプロジェクター内部の一部を示す分解斜視図。
【図４】実施形態１の下ケース側から見た吸音器の内部および冷却ファンの一部を示す斜視図。
【図５】実施形態１の吸音器の分解斜視図。
【図６】冷却ファンが駆動された際の、吸音器が取り付けられていない状態のプロジェクターの騒音を測定した結果を示すグラフ。
【図７】実施形態１の吸音器の吸音特性を示すグラフ。
【図８】冷却ファンの回転速度と、吸音器が取り付けられていない状態のプロジェクター、および吸音器が取り付けられた状態のプロジェクターそれぞれの騒音との関係を示すグラフ。
【図９】実施形態２のプロジェクターの概略構成を示す模式図。
【図１０】実施形態３の第２冷却装置の一部、および冷却対象としての光学部品を模式的に示す斜視図。
【図１１】実施形態３のダクトユニットの分解斜視図。
【図１２】実施形態３のダクトユニットの断面図。
【図１３】実施形態４のダクトユニットおよび冷却ファンを模式的に示す斜視図。
【図１４】実施形態４のダクトユニットの分解斜視図。
【図１５】実施形態５の第２冷却装置の主な構成、および吸音器を示す模式図。
【発明を実施するための形態】
【００２１】
以下、本発明の実施形態について、図面を参照して説明する。なお、以下に示す各図に
おいては、各構成要素を図面上で認識され得る程度の大きさとするため、各構成要素の寸
法や比率を実際のものとは適宜異ならせてある。
【００２２】
（実施形態１）
本実施形態に係るプロジェクター１、およびプロジェクター１に搭載された吸音器５に
ついて、図面を参照して説明する。
図１は、本実施形態のプロジェクター１の概略構成を示す模式図である。図２は、プロ
ジェクター１内部の一部を示す斜視図であり、吸音器５および後述するヒートシンク３１
２近傍を示す図である。図３は、図２とは異なる方向から見たプロジェクター１内部の一
部を示す図であり、ヒートシンク３１２および後述するダクト部材４２を分解した分解斜
視図である。
【００２３】
プロジェクター１は、図１〜図３に示すように、外装筐体２、制御部（図示省略）、光
学ユニット３、冷却装置４、および吸音器５を備え、スクリーン等の投写面に画像を投写
する。また、図示は省略するが、プロジェクター１は、内部の電子部品に電力を供給する
電源装置を備える。なお、以下では、説明の便宜上、プロジェクター１が机上等に載置さ
れた姿勢において、プロジェクターの上側を上方とし、プロジェクター１が画像を投写す
る方向を前方として記載する。
【００２４】
外装筐体２は、詳細な説明は省略するが、下ケース２１（図２、図３参照）に加え、上
ケース（図示省略）等の部材で構成されている。下ケース２１は、プロジェクター１が机
上等に載置された姿勢において、机上に対向する底面部２１Ｂ（図３参照）を有している
。図示しない上ケースは、下ケースに嵌合され、外装筐体２の側面、および上面を形成す
る。上ケースには、外気を導入するための吸気口、および内部の温まった空気を排気する
ための排気口（いずれも図示省略）が形成されている。
【００２５】
制御部は、ＣＰＵ（Central Processing Unit）やＲＯＭ（Read Only Memory）、ＲＡ
Ｍ（Random Access Memory）等を備え、コンピューターとして機能するものであり、プロ
ジェクター１の動作の制御、例えば、画像の投写に関わる制御等を行う。
【００２６】
光学ユニット３は、図１に示すように、照明装置３０、色分離導光光学系３２、光変調
装置３４、クロスダイクロイックプリズム３５、および投写レンズ３６を備える。
照明装置３０は、光源装置３１０、第１光学系３０２、偏光分離素子３０３、波長変換
装置３０４、第２光学系３０５、および第３光学系３０６を備える。
【００２７】
光源装置３１０は、複数の半導体レーザーを有する光源３１１、光源３１１の熱を放熱
するヒートシンク３１２を備える。光源３１１は、青色光（Ｂ）を射出する。
【００２８】
ヒートシンク３１２は、図２、図３に示すように、光源３１１の熱が伝導するベース部
３１２ａ、およびベース部３１２ａから突出する複数のフィン３１２ｂを有している。
ヒートシンク３１２は、図３に示すように、ベース部３１２ａが下ケース２１の底面部
２１Ｂの内面に直交する方向に延出し、複数のフィン３１２ｂが底面部２１Ｂの内面に沿
う方向に延出している。外装筐体２内の図示しない排気口は、ヒートシンク３１２近傍の
フィン３１２ｂが延出する方向に設けられている。
【００２９】
第１光学系３０２は、詳細な説明は省略するが、コリメーター光学系、アフォーカル光
学系、位相差板、およびホモジナイザー光学系等の光学部品を備える。第１光学系３０２
は、光源装置３１０から射出された青色光を波長変換装置３０４、および第２光学系３０
５で有効に利用されるように変換する。
【００３０】
偏光分離素子３０３は、第１光学系３０２から射出された光のうち、Ｓ偏光成分の青色
光を反射し、Ｐ偏光成分の青色光を透過させる。また、偏光分離素子３０３は、青色光と
は波長帯が異なり、後述する蛍光を、その偏光状態にかかわらず透過させる。
【００３１】
波長変換装置３０４は、図１に示すように、波長変換素子３０４ａ、放熱部材３０４ｃ
、およびモーター３０４ｍを備える。
波長変換素子３０４ａは、円板状に形成された基材、および基材上にリング状に設けら
れた蛍光体層３０４ｂを有している。
波長変換素子３０４ａは、偏光分離素子３０３で反射した青色光によって励起されて蛍
光（黄色光（Ｙ））を発し、この黄色光を偏光分離素子３０３に向かって反射する。
【００３２】
放熱部材３０４ｃは、波長変換素子３０４ａにおける基材の蛍光体層３０４ｂとは反対
側に接続された部位と、この部位から突出する複数の羽根部を有している。
モーター３０４ｍは、ローター（回転体）を有する回転装置に相当し、波長変換素子３
０４ａおよび放熱部材３０４ｃを回転させる。
波長変換素子３０４ａは、モーター３０４ｍによって回転されることで、蛍光体層３０
４ｂへの青色光の照射位置が移動することによる局所的な発熱が防止されるとともに、放
熱部材３０４ｃの回転によって放熱される。
【００３３】
第２光学系３０５は、位相差板、反射素子を備え、偏光分離素子３０３を透過した青色
光の偏光状態を変え、偏光分離素子３０３に向けて射出する。
偏光分離素子３０３は、波長変換素子３０４ａから射出された黄色光（Ｙ）を透過し、
第２光学系３０５から射出された青色光（Ｂ）を反射する。すなわち、偏光分離素子３０
３は、黄色光（Ｙ）と青色光（Ｂ）とが合成された白色光（ＷＬ）を射出する。
【００３４】
第３光学系３０６は、詳細な説明は省略するが、均一光学系および偏光変換素子等の光
学部品を備え、偏光分離素子３０３から射出された光を略均一化させるとともに、光変調
装置３４で有効に利用されるように偏光状態を揃える。
【００３５】
色分離導光光学系３２は、ダイクロイックミラー３２１，３２２、反射ミラー３２３，
３２４，３２５、リレーレンズ３２６，３２７、およびフィールドレンズ３２８を備える
。色分離導光光学系３２は、第３光学系３０６から射出された白色光ＷＬを赤色光ＬＲ、
緑色光ＬＧ、青色光ＬＢに分離し、各色光を各色光用の光変調装置３４に導く。
【００３６】
光変調装置３４は、各色光用に設けられている。赤色光ＬＲ用の光変調装置を３４Ｒ、
緑色ＬＧ用の光変調装置を３４Ｇ、青色光ＬＢ光の光変調装置を３４Ｂとする。光変調装
置３４は、詳細な図示は省略するが、透過型の液晶パネル、液晶パネルを保持する保持部
、液晶パネルの光入射側に配置された入射側偏光板、および液晶パネルの光射出側に配置
された射出側偏光板を備える。各光変調装置３４は、入射する色光を画像情報に応じて変
調する。
クロスダイクロイックプリズム３５は、各光変調装置３４にて変調された各色光を合成
し、画像光を形成する。投写レンズ３６は、クロスダイクロイックプリズム３５で形成さ
れた画像光を拡大投写する。
【００３７】
冷却装置４は、光源装置３１０を冷却する第１冷却装置４Ａ、および本実施形態では図
示は省略するが、光変調装置３４等の光学部品を冷却する第２冷却装置を備える。
第１冷却装置４Ａは、図２、図３に示すように、ヒートシンク３１２の近傍に配置され
た冷却ファン４１、およびダクト部材４２を備える。
冷却ファン４１は、平面視矩形状の軸流ファンで構成され、フィン３１２ｂのベース部
３１２ａとは反対側に配置されている。冷却ファン４１は、回転する羽根（回転体）を有
する回転装置に相当する。
【００３８】
外装筐体２の吸気口（図示省略）は、冷却ファン４１のヒートシンク３１２とは反対側
に設けられている。冷却ファン４１は、この吸気口から外部の空気を導入し、この空気を
フィン３１２ｂに送風する。なお、冷却ファン４１の空気を吸入する側（外装筐体２の吸
気口側）がプロジェクター１の前側となる。
【００３９】
ダクト部材４２は、図２、図３に示すように、フィン３１２ｂの上側、およびフィン３
１２ｂの排気口とは反対側を覆うように形成されている。冷却ファン４１からフィン３１
２ｂに送風された空気は、フィン３１２ｂを辿って、また、ダクト部材４２に案内されて
、外装筐体２の排気口から外部に排出される。光源３１１は、冷却ファン４１からの空気
によってヒートシンク３１２の放熱が促進され、温度上昇が抑制される。
【００４０】
本実施形態のプロジェクター１は、光源３１１の出力が通常の状態に設定された通常モ
ード、および通常モードより光源３１１の出力が低く設定された低輝度モードが可能に構
成されている。そして、冷却ファン４１は、通常モードと低輝度モードとで回転速度が異
なるように設定されている。例えば、冷却ファン４１は、通常モードで約２，２００ｒｐ
ｍ、低輝度モードで約１，２５０ｒｐｍで回転するように設定されている。
【００４１】
吸音器５は、図２、図３に示すように、冷却ファン４１近傍のヒートシンク３１２の下
方に配置され、冷却ファン４１の駆動に伴う動作音や風切音等の騒音を低減する。
【００４２】
〔吸音器の構成〕
ここで、吸音器５について、詳細に説明する。
図４は、下ケース２１側から見た吸音器５の内部および冷却ファン４１の一部を示す斜
視図である。図５は、吸音器５の分解斜視図である。
吸音器５は、図４に示すように、冷却ファン４１における空気の送出口側で、冷却ファ
ン４１の下ケース２１（図３参照）側の端部近傍に配置されている。吸音器５は、図４、
図５に示すように、フレーム６、薄膜５１、多孔質材５２、および下ケース２１における
底面部２１Ｂの一部で構成されている。この底面部２１Ｂの一部を蓋部５３とする。
【００４３】
フレーム６は、直方体形状に形成された本体部６０、本体部６０の両側からそれぞれ突
出する一対の取付部６００を有している。
本体部６０は、ヒートシンク３１２の反対側が開口しており、ヒートシンク３１２に対
向する平面視矩形状の板状部６１、板状部６１の４辺からそれぞれヒートシンク３１２と
は反対側に起立する４つの側面部６２ａ，６２ｂ，６２ｃ，６２ｄを有している。
【００４４】
側面部６２ａは、図４に示すように、冷却ファン４１の近傍に位置し、長尺状に形成さ
れている。側面部６２ａは、長手方向（幅）の長さが冷却ファン４１の一辺の長さと同様
に形成され、複数の第１孔６２ｈが設けられている。側面部６２ａは、例えば、板厚が１
ｍｍ〜数ｍｍ程度で、幅が１２０ｍｍ程度、高さが１０ｍｍ程度の大きさに形成されてい
る。側面部６２ａは、第１壁部に相当する。
また、側面部６２ａは、図５に示すように、本体部６０における外側となる第１面６２
１、および本体部６０における内側となる第２面６２２を有している。
【００４５】
側面部６２ｂは、板状部６１の側面部６２ａとは反対側に設けられている。側面部６２
ｃと側面部６２ｄとは互いに対向している。側面部６２ｃは、側面部６２ａの一方の端部
と、側面部６２ｂの一方の端部とを接続する。側面部６２ｄは、側面部６２ａの他方の端
部と、側面部６２ｂの他方の端部とを接続する。
【００４６】
また、本体部６０には、板状部６１から側面部６２ａ，６２ｂ，６２ｃ，６２ｄと同一
側に突出する隔壁６３およびリブ６４が設けられている。
隔壁６３は、側面部６２ａ（第１壁部）の第２面６２２に対向するとともに、側面部６
２ａと間隔Ｌ１を有して設けられている。隔壁６３は、厚みが数ｍｍ程度に形成され、側
面部６２ｃ、６２ｄに接続されている。また、隔壁６３には、複数の第２孔６３ｈが形成
されている。隔壁６３は、第２壁部に相当する。
【００４７】
リブ６４は、側面部６２ｃと側面部６２ｄとの間で隔壁６３から側面部６２ｂ側に延出
している。リブ６４は、隔壁６３から所定の長さを有し、側面部６２ｂから所定の距離で
離間している。
【００４８】
一対の取付部６００は、側面部６２ｃおよび側面部６２ｄからそれぞれ突出しており、
ネジＳＣ（図４参照）が挿通される挿通孔が形成されている。なお、下ケース２１には、
一対の取付部６００に対応するボスが設けられている。
【００４９】
薄膜５１は、図５に示すように、樹脂層５１１および接着層５１２を備え、側面部６２
ａの第１面６２１（隔壁６３とは反対側の面）に貼付されている。樹脂層５１１としては
、例えば、厚みが０．０１２ｍｍのポリイミドフィルムを用いることができる。接着層５
１２としては、例えば、厚みが０．０２３ｍｍのシリコーン粘着材を用いることができる
。なお、樹脂層５１１としては、ポリイミド材に限らず、他の材料（例えば、ポリエチレ
ンテレフタレートや、ポリプロピレン等）であってもよい。また、樹脂層５１１の厚みは
、上述した厚みに限らず、例えば、０．１ｍｍ以下の厚みであってもよく、０．０５ｍｍ
以下の厚みが好ましい。また、接着層５１２としては、シリコーン材に限らず、他の材料
であってもよい。また、樹脂層５１１の厚みは、接着層５１２の厚みよりが薄いものが好
ましい。
【００５０】
多孔質材５２は、直方体状に形成され、本体部６０内の側面部６２ｃと側面部６２ｄと
の間、および側面部６２ｂとリブ６４との間に配置されている。すなわち、多孔質材５２
は、隔壁６３（第２壁部）から離間した位置において隔壁６３に対向するように配置され
ている。より具体的に、多孔質材５２は、隔壁６３の側面部６２ａとは反対側で隔壁６３
に対向するように配置されている。
また、多孔質材５２は、隔壁６３から間隔Ｌ２を有して配置され、隔壁６３から離間す
る方向において長さＬ３を有している。多孔質材５２としては、例えば、ポリウレタン製
のフォーム材を用いることができる。また、多孔質材５２としては、グラスウール、ウレ
タン、フエルト、ポリプロピレン、ロックウールのうち少なくとも一つから形成されてい
ることが好ましい。
【００５１】
薄膜５１が貼付され、本体部６０内に多孔質材５２が配置されたフレーム６は、一対の
取付部６００にネジＳＣが挿通されて下ケース２１に固定される。その結果、本体部６０
の開口部が蓋部５３（下ケース２１）に閉塞されて吸音器５が組み立てられる。
そして、吸音器５は、図４に示すように、側面部６２ａ（第１壁部）と隔壁６３（第２
壁部）との間に第１空間Ａｒ１が設けられ、隔壁６３（第２壁部）と多孔質材５２との間
に第２空間Ａｒ２が設けられている。
【００５２】
このように、吸音器５は、直方体形状に形成された本体部６０を有し、側面部６２ａが
この本体部６０の１つの面を形成している。そして、吸音器５は、側面部６２ａの高さ方
向がプロジェクター１の上下方向となるように配置されている。すなわち、吸音器５は、
プロジェクター１が大型化しないように薄型に構成され、騒音の発生源（冷却ファン４１
）の近傍に配置されている。
【００５３】
そして、吸音器５は、薄膜５１が貼付された側面部６２ａ（第１壁部）、および第１空
間Ａｒ１で構成された第１の吸音部５Ａと、隔壁６３（第２壁部）および第２空間Ａｒ２
で構成された第２の吸音部５Ｂと、多孔質材５２で構成された第３の吸音部５Ｃと、を有
している。そして、吸音器５は、図４に示すように、冷却ファン４１から遠ざかる方向に
おいて第１の吸音部５Ａ、第２の吸音部５Ｂおよび第３の吸音部５Ｃがこの順で配置され
ている。
【００５４】
第１の吸音部５Ａは、薄膜５１の振動によって音波の一部が吸収されることに加え、残
りの音波を主に第１孔６２ｈから第２の吸音部５Ｂに伝搬させる。第１孔６２ｈは、例え
ば、内径が３ｍｍの丸孔で、側面部６２ａに６０個程度設けられている。そして、第１の
吸音部５Ａは、間隔Ｌ１が例えば、約３ｍｍ程度で構成されている。なお、第１孔６２ｈ
は、丸孔に限らず、平面視矩形状や多角形状の角孔であってもよく、また、丸孔と角孔と
が混在する構成であってもよい。
【００５５】
薄膜５１は、第１孔６２ｈの開口と重なる部位が音波によって振動し、音波のエネルギ
ーの一部を吸収する。前述したように、薄膜５１において樹脂層５１１の厚さが接着層５
１２の厚さより薄いものが好ましい。この構成によれば、接着層５１２が薄膜５１の弾性
を向上させるので、低周波数帯の音波がより効果的に吸収されると考えられる。
【００５６】
第２の吸音部５Ｂは、ヘルムホルツの共鳴器に相当する構成となる。そして、隔壁６３
に設けられた第２孔６３ｈは、例えば、内径が４．５ｍｍ程度の丸孔で、隔壁６３に２つ
設けられている。第２孔６３ｈは、少なくとも１つ設けられていればよい。すなわち、側
面部６２ａに設けられた第１孔６２ｈの数は、隔壁６３に設けられた第２孔６３ｈの数よ
りが多く構成されている。そして、第２の吸音部５Ｂは、間隔Ｌ２（図４参照）が例えば
、約１５ｍｍ程度で構成されている。すなわち、吸音器５は、間隔Ｌ１と間隔Ｌ２との関
係が、Ｌ１＜Ｌ２となるように構成されている。なお、第２孔６３ｈは、丸孔に限らず、
平面視矩形状や多角形状の角孔であってもよく、また、丸孔と角孔とが混在する構成であ
ってもよい。
【００５７】
多孔質材５２で構成された第３の吸音部５Ｃは、細孔および繊維状の部材を有し、長さ
Ｌ３が例えば、約３６ｍｍに形成されている。すなわち、吸音器５は、間隔Ｌ２と長さＬ
３との関係が、Ｌ２＜Ｌ３となるように構成されている。そして、多孔質材５２は、この
細孔および繊維状による摩擦や粘性抵抗、振動等によって音波のエネルギーの一部を吸収
する。
このように、吸音器５は、第１の吸音部５Ａ、第２の吸音部５Ｂおよび第３の吸音部５
Ｃという３つの吸音部を備え、冷却ファン４１の駆動に伴う騒音を低減する。
【００５８】
ここで、吸音器５の吸音特性について説明する。
先ず、吸音器５が取り付けられていない状態のプロジェクター１において、冷却ファン
４１が駆動された際の騒音について説明する。なお、以下では、説明の便宜上、吸音器５
が取り付けられていない状態のプロジェクター１をプロジェクター１Ｎａとして記載する
。
【００５９】
図６は、冷却ファン４１が駆動された際のプロジェクター１Ｎａの騒音を測定した結果
を示すグラフであり、１／３オクターブバンド中心周波数に対するプロジェクター１Ｎａ
の音圧レベル（騒音）を示すグラフである。また、図６は、冷却ファン４１が通常モード
（回転速度が約２，２００ｒｐｍ）で駆動された場合を示すものであり、プロジェクター
１Ｎａの前方（Ｆｒｏｎｔ）、後方（Ｒｅａｒ）、側方（Ｓｉｄｅ）から測定した結果を
示すものである。
【００６０】
冷却ファン４１単独の騒音は、羽根の回転に伴う回転騒音等を含み、周波数上、大きさ
が突出したピークを有するような特性を示し、また、そのピークは、周波数上、整数倍で
発生する。本実施形態の冷却ファン４１における騒音のピークの周波数は、例えば、通常
モード（回転速度が約２，２００ｒｐｍ）で約７００Ｈｚ〜８００Ｈｚの間の値を示した
。
【００６１】
冷却ファンの駆動に伴うプロジェクター１Ｎａの騒音は、図６に示すように、前方、後
方、および側方いずれにおいても、１，０００Ｈｚを超えるような高い周波数帯で小さく
、約１，０００Ｈｚ以下の低い周波数帯で大きくなっている。これは、冷却ファン４１を
収納する外装筐体２において、高い周波数帯の音波の吸収が大きく、低い周波数帯の音波
の吸収が小さいためと考えられる。具体的に、プロジェクター１Ｎａの騒音は、図６に示
すように、約５００Ｈｚ〜約１，０００Ｈｚの周波数帯（低周波数帯）で大きく、約８０
０Ｈｚで最も大きなものとなっている。
【００６２】
図７は、本実施形態の吸音器５の吸音特性を示すグラフである。具体的に、図７は、実
験用のケース（図示省略）を用い、このケース内に吸音器５が配置されていない状態の音
圧レベルに対する吸音器５が配置された状態の吸音効果（図７において、「吸音器の吸音
効果」で示す）を示すグラフである。また、図７は、考察のために、実験用のケースに吸
音器５の一部である第１の吸音部５Ａおよび第２の吸音部５Ｂが配置された状態の吸音効
果（図７において、「第１＋第２の吸音効果」で示す）を示している。なお、実験では、
ピンクノイズを音源としている。
【００６３】
図７に示すように、吸音器５の一部（第１の吸音部５Ａおよび第２の吸音部５Ｂ）であ
っても、低周波数帯（約５００Ｈｚ〜約１，０００Ｈｚの周波数帯）で大きな吸音効果を
示している。そして、第１の吸音部５Ａおよび第２の吸音部５Ｂにさらに第３の吸音部５
Ｃを備える吸音器５においては、この低周波数帯で吸音効果がさらに大きなものとなる。
このように、吸音器５は、低周波数帯の騒音を低減するように構成されている。
【００６４】
図８は、冷却ファン４１の回転速度と、プロジェクター１Ｎａおよびプロジェクター１
それぞれの騒音との関係を示すグラフである。
図８に示すように、冷却ファン４１の駆動に伴う騒音は、回転速度が増すに従って大き
くなる。そして、吸音器５が搭載されたプロジェクター１の騒音は、吸音器５が搭載され
ていないプロジェクター１Ｎａの騒音より小さなものとなる。具体的に、プロジェクター
１の騒音は、通常モードの回転速度（図８では「Ｈｍ」で示す）において、プロジェクタ
ー１Ｎａの騒音より約２．４ｄＢ低く、低輝度モードの回転速度（図８では「Ｌｍ」で示
す）において、プロジェクター１Ｎａの騒音より約２．８ｄＢ低くなっている。
このように、吸音器５は、第１の吸音部５Ａ、第２の吸音部５Ｂ、および第３の吸音部
５Ｃを備え、低周波数帯の騒音を低減するように構成されている。
【００６５】
以上述べたように、本実施形態によれば、以下の効果を得ることができる。
（１）プロジェクター１は、吸音器５を備えているので、冷却ファン４１の駆動に伴う
騒音、特に、低周波数帯（約５００Ｈｚ〜約１，０００Ｈｚの周波数帯）の騒音が低減さ
れる。この低周波数帯は人間が感知し易い周波数帯であり、プロジェクター１は、より効
果的に騒音が低減される。
【００６６】
（２）吸音器５は、フレーム６の本体部６０に薄膜５１が貼付され、本体部６０の内部
に多孔質材５２が配置されるという簡単な構造なので、容易に製造が可能である。
また、吸音器５は、下ケース２１の一部を利用して構成されているので、部品点数の増
加を抑え、さらに容易な製造が可能となる。
【００６７】
（３）吸音器５は、薄型化が可能なので、プロジェクター１の大型化を抑制しつつ低騒
音化が可能なプロジェクター１を提供できる。
【００６８】
（実施形態２）
実施形態２に係るプロジェクター１０および吸音器１５について説明する。以下の説明
では、実施形態１の構成と同様の構成には、同一符号を付し、その詳細な説明は省略また
は簡略化する。
図９は、本実施形態のプロジェクター１０の概略構成を示す模式図である。
プロジェクター１０は、図９に示すように、波長変換装置３０４の近傍に配置された吸
音器１５を備える。
【００６９】
吸音器１５は、詳細な図示は省略するが、実施形態１で説明した吸音器５と同様の構成
を有している。すなわち、吸音器１５は、薄膜が貼付された第１壁部、および第１空間で
構成された第１の吸音部と、第２壁部および第２空間で構成された第２の吸音部と、多孔
質材で構成された第３の吸音部と、を有している。
また、吸音器１５は、波長変換装置３０４の近傍のスペースに対応して実施形態１の吸
音器５とは異なる形状に形成されている。
【００７０】
そして、吸音器１５は、波長変換装置３０４におけるモーター３０４ｍの駆動に伴うモ
ーター３０４ｍの動作音、および放熱部材３０４ｃの風切音等の騒音を低減する。
【００７１】
以上述べたように、本実施形態によれば、プロジェクター１０は、波長変換装置３０４
の近傍に配置された吸音器１５を備えているので、モーター３０４ｍの駆動に伴う騒音が
低減される。よって、波長変換素子３０４ａの劣化を抑制しつつ、すなわち、投写される
画像の明るさの低下や色ムラ等を抑制しつつ、低騒音化が可能なプロジェクター１０の提
供が可能となる。
【００７２】
（実施形態３）
実施形態３に係るプロジェクターおよび吸音器について、図面を参照して説明する。以
下の説明では、実施形態１の構成と同様の構成には、同一符号を付し、その詳細な説明は
省略または簡略化する。
本実施形態のプロジェクターは、光変調装置３４等を冷却する第２冷却装置に吸音器が
設けられている。
【００７３】
図１０は、本実施形態の第２冷却装置４Ｂの一部、および冷却対象としての光学部品（
例えば、青色光用の光変調装置３４Ｂ）を模式的に示す斜視図である。なお、冷却対象は
、光変調装置３４Ｂに限らず、光変調装置３４Ｒ，３４Ｇであってもよく、また他の光学
部品、例えば、第３光学系３０６（図１参照）における偏光変換素子（図示省略）等であ
ってもよい。
【００７４】
第２冷却装置４Ｂは、図１０に示すように、冷却ファン４５およびダクトユニット７を
備える。
図１１は、ダクトユニット７の分解斜視図である。図１２は、ダクトユニット７の断面
図である。
冷却ファン４５は、回転する羽根（回転体）の中心軸に沿う方向から取り込んだ空気を
回転接線方向に送出するシロッコファンで構成されている。冷却ファン４５は、回転体を
有する回転装置に相当する。
【００７５】
ダクトユニット７は、図１１、図１２に示すように、ダクト部材７１、薄膜５１、枠体
７２、多孔質材５２、および保持枠７３を備える。そして、本実施形態の吸音器２５は、
ダクト部材７１の一部、薄膜５１、枠体７２、多孔質材５２、および保持枠７３で構成さ
れている。なお、薄膜５１および多孔質材５２は、第１実施形態で示した薄膜５１および
多孔質材５２とは異なるサイズを有している。すなわち、本実施形態においては、流路を
形成するダクト部材７１に吸音器２５が直接取り付けられており、ダクト部材７１と吸音
器２５とが一体となっている。
【００７６】
ダクト部材７１は、図１０に示すように、冷却ファン４５の空気送出口側に配置された
流路形成部７１１、および流路形成部７１１に対して冷却ファン４５とは反対側に突出す
る収納部７１２を有している。
流路形成部７１１は、内部に冷却ファン４５から送風された空気を光変調装置３４Ｂに
導く流路が形成されている。流路形成部７１１は、断面が矩形状に形成され、図１０、図
１２に示すように、冷却ファン４５の空気送出口から冷却ファン４５が空気を送出する方
向に延出する直進部７１１Ａ、および直進部７１１Ａから上方に屈曲し、直進部７１１Ａ
を流れた空気を光変調装置に導く屈曲部７１１Ｂを有している。
【００７７】
また、流路形成部７１１は、冷却ファン４５の空気送出口に対向する立壁７１１ｗ（図
１１、図１２参照）を有している。立壁７１１ｗは、流路形成部７１１内の流路を形成す
る壁部の一部を構成している。そして、この立壁７１１ｗには、複数の第１孔７１１ｈが
形成されている。立壁７１１ｗは、第１壁部に相当する。また、立壁７１１ｗは、図１２
に示すように、冷却ファン４５側となる第１面７１１ｗａ、および第１面７１１ｗａの反
対側となる第２面７１１ｗｂを有している。
【００７８】
収納部７１２は、複数の第１孔７１１ｈを囲むように筒状に形成され、立壁７１１ｗか
ら直進部７１１Ａとは反対側に突出し、立壁７１１ｗの反対側が開口している。また、収
納部７１２は、断面が矩形状に形成され、収納部７１２の内面と立壁７１１ｗとで形成さ
れる角部には、図１２に示すように、立壁７１１ｗから突出する段差部７１２ａが形成さ
れている。また、収納部７１２の外面には、図１０に示すように、ネジ穴（図示省略）を
有する一対のボス部７１２ｂが形成されている。後述する保持枠７３は、ネジによってこ
の一対のボス部７１２ｂに固定されている。
【００７９】
薄膜５１は、図１１、図１２に示すように、複数の第１孔７１１ｈを塞ぐように、立壁
７１１ｗの第１面７１１ｗａに貼付されている。
【００８０】
枠体７２は、図１１、図１２に示すように、平面視矩形の板状部７２１、および板状部
７２１の各辺から突出する側面部７２２を有している。すなわち、枠体７２は、板状部７
２１の反対側が開口する直方体状に形成されている。枠体７２は、開口する側が立壁７１
１ｗの反対側となるように、ダクト部材７１の収納部７１２内に収納され、また、収納部
７１２内の段差部７１２ａに当接する大きさに形成されている。そして、板状部７２１に
は、第２孔７２ｈが形成されている。このように、板状部７２１は、立壁７１１ｗの第２
面７１１ｗｂに対向して配置され、第２壁部に相当する。また、第１孔７１１ｈの数は、
第２孔７２ｈの数より多く形成されている。
【００８１】
多孔質材５２は、図１１、図１２に示すように、直方体状に形成され、枠体７２が収納
された収納部７１２内に収納され、枠体７２の側面部７２２に当接する大きさに形成され
ている。
【００８２】
保持枠７３は、収納部７１２の開口部を閉塞する蓋状部７３１、および蓋状部７３１か
ら突出し、一対のボス部７１２ｂに対応する突起部７３２を有している。そして、突起部
７３２には、ボス部７１２ｂのネジ穴に対応するネジ挿通孔が形成されている。保持枠７
３は、枠体７２および多孔質材５２が収納された収納部７１２にネジ固定されている。な
お、多孔質材５２は、保持枠７３が収納部７１２に固定される前に、収納部７１２から僅
かに飛び出す大きさに形成されている。
【００８３】
枠体７２および多孔質材５２は、図１２に示すように、保持枠７３が収納部７１２に固
定されることで、所定の位置に配置される。具体的に、枠体７２は、多孔質材５２に押圧
されて段差部７１２ａに当接して配置されている。多孔質材５２は、枠体７２の側面部７
２２と保持枠７３の蓋状部７３１との間に配置されている。そして、枠体７２の板状部７
２１は、立壁７１１ｗと間隔Ｌ１を有し、多孔質材５２と間隔Ｌ２を有して配置されてい
る。すなわち、収納部７１２内には、立壁７１１ｗ（第１壁部）と板状部７２１（第２壁
部）との間に第１空間Ａｒ１が設けられ、板状部７２１（第２壁部）と多孔質材５２との
間に第２空間Ａｒ２が設けられている。そして、多孔質材５２は、板状部７２１から離間
する方向における長さＬ３を有している。また、間隔Ｌ１，Ｌ２、長さＬ３は、Ｌ１＜Ｌ
２＜Ｌ３の関係で構成されている。
【００８４】
吸音器２５は、薄膜５１、立壁７１１ｗ、収納部７１２、枠体７２、多孔質材５２、お
よび保持枠７３で構成されている。
そして、吸音器２５は、薄膜５１が貼付された立壁７１１ｗ（第１壁部）、および第１
空間Ａｒ１で構成された第１の吸音部２５Ａと、板状部７２１（第２壁部）および第２空
間Ａｒ２で構成された第２の吸音部２５Ｂと、多孔質材５２で構成された第３の吸音部２
５Ｃと、を有している。そして、吸音器２５は、冷却ファン４５から遠ざかる方向におい
て第１の吸音部２５Ａ、第２の吸音部２５Ｂおよび第３の吸音部２５Ｃがこの順で配置さ
れている。
【００８５】
冷却ファン４５から送出された空気は、直進部７１１Ａ内の流路を流れ、立壁７１１ｗ
および薄膜５１によって進行方向が変更され、屈曲部７１１Ｂ内の流路から光変調装置３
４Ｂに送風されて、この光変調装置３４Ｂを冷却する。
一方、冷却ファン４５の駆動に伴う動作音や風切音等の騒音は、吸音器２５によって低
減される。
このように、吸音器２５は、ダクトユニット７に設けられ、冷却ファン４５の駆動に伴
う騒音を低減する。
【００８６】
以上述べたように、本実施形態によれば、以下の効果を得ることができる。
吸音器２５は、冷却ファン４５から送風された空気が流通する流路を形成する壁部の一
部を利用して構成されている。これによって、吸音器２５は、冷却ファン４５の動作音は
もとより、冷却ファン４５から送風された空気の風切音を効率良く低減させることが可能
となる。
【００８７】
（実施形態４）
実施形態４に係る吸音器について、図面を参照して説明する。
実施形態３の吸音器２５は、ダクトユニット７における冷却ファン４５からの空気が進
行する方向の延長上に配置されているが、本実施形態の吸音器１０５は、この位置とは異
なる位置に配置されている。なお、以下の説明では、実施形態３のダクトユニット７の構
成と同様の構成には、同一符号を付し、その詳細な説明は省略または簡略化する。
【００８８】
図１３は、本実施形態のダクトユニット８および冷却ファン４５を模式的に示す斜視図
である。図１４は、ダクトユニット８の分解斜視図である。
ダクトユニット８は、図１３、図１４に示すように、実施形態３のダクト部材７１、保
持枠７３と形状が異なるダクト部材８１、保持枠８２、および実施形態３と同様の薄膜５
１、枠体７２、多孔質材５２を備える。
【００８９】
ダクト部材８１は、冷却ファン４５から送風された空気を光変調装置３４Ｂに導く流路
形成部８１１、および流路形成部８１１から突出する収納部８１２を有している。
流路形成部８１１は、実施形態３の流路形成部７１１と同様に、断面が矩形状の直進部
８１１Ａおよび屈曲部８１１Ｂを有し、内部に流路が形成されている。
直進部８１１Ａの側壁の一部には、図１４に示すように、複数の第１孔８１１ｈが形成
されている。
【００９０】
収納部８１２は、複数の第１孔８１１ｈを囲むように筒状に形成され、屈曲部８１１Ｂ
とは異なる方向に突出している。また、収納部８１２は、複数の第１孔８１１ｈの反対側
が開口する断面矩形状に形成されている。直進部８１１Ａの側壁における複数の第１孔８
１１ｈが形成され、収納部８１２に囲まれた部位は、第１壁部８１１ｗとなる。第１壁部
８１１ｗは、流路形成部８１１内の流路を形成する壁部の一部を構成している。
【００９１】
また、第１壁部８１１ｗは、図１４に示すように、冷却ファン４５からの空気が流通す
る側となる第１面８１１ｗａ、および第１面８１１ｗａの反対側となる第２面（図示省略
）を有している。このように、収納部８１２は、冷却ファン４５から送出された空気が流
通する方向に交差する方向に延出している。
また、収納部８１２の外面には、図１３、図１４に示すように、保持枠８２を固定する
ための一対の凸部８１２ａが形成されている。
【００９２】
薄膜５１は、図１４に示すように、複数の第１孔８１１ｈを塞ぐように、第１壁部８１
１ｗの第１面８１１ｗａに貼付されている。
【００９３】
保持枠８２は、収納部８１２の開口部を閉塞する蓋状部８２１、および蓋状部８２１か
ら突出し、一対の凸部８１２ａに係合する一対のフック部８２２を有している。保持枠８
２は、枠体７２および多孔質材５２が収納された収納部８１２に一対のフック部８２２が
一対の凸部８１２ａに係合して固定されている。
【００９４】
枠体７２および多孔質材５２は、保持枠８２が収納部８１２に固定されることで、所定
の位置に配置される。そして、本実施形態の吸音器１０５は、薄膜５１、第１壁部８１１
ｗ、収納部８１２、枠体７２、多孔質材５２、および保持枠８２で構成されている。
そして、吸音器１０５は、直進部８１１Ａから遠ざかる方向において第１の吸音部、第
２の吸音部および第３の吸音部がこの順で配置されている。
【００９５】
冷却ファン４５から送出された空気は、流路形成部８１１内の流路を流通して光変調装
置３４Ｂを冷却する。
一方、冷却ファン４５の駆動に伴う風切音や振動音等の騒音は、吸音器１０５によって
低減される。
【００９６】
以上述べたように、本実施形態によれば、以下の効果を得ることができる。
（１）吸音器１０５は、実施形態３の吸音器２５と同様に、冷却ファン４５の動作音は
もとより、冷却ファン４５から送風された空気の風切音を効率良く低減させることが可能
となる。
【００９７】
（２）吸音器１０５は、実施形態３の吸音器２５とは異なる方向に突出しているので、
ダクトユニット８を備えたプロジェクターは、ダクトユニット８周囲の部材配置の構成が
、ダクトユニット７を備えたプロジェクターにおけるダクトユニット７周囲の部材配置の
構成とは異なる構成が可能となる。
【００９８】
（実施形態５）
実施形態５に係るプロジェクターについて、図面を参照して説明する。
本実施形態のプロジェクターは、液体の循環によって光変調装置３４を冷却する第２冷
却装置、およびこの第２冷却装置の近傍に配置された吸音器を備える。本実施形態の第２
冷却装置は、光変調装置３４の液晶パネルを保持する保持部（前記実施形態では、図示省
略）との間で液体を循環させ、液晶パネルを冷却する。
【００９９】
図１５は、本実施形態の第２冷却装置４０Ｂの主な構成、および吸音器２０５を示す模
式図である。
第２冷却装置４０Ｂは、図１５に示すように、ポンプ４０１、タンク４０２、熱交換装
置４０３、および複数の管状部材４０４を備える。液晶パネルを保持する保持部３４１は
、各色光用の液晶パネルそれぞれに対応して設けられ、内部に液体が流動する流路が設け
られている。ポンプ４０１、タンク４０２、熱交換装置４０３、および複数の管状部材４
０４は、各色光用の保持部３４１とで液体が循環する循環流路を形成する。
【０１００】
ポンプ４０１は、図示しないモーター（回転装置）等を備え、液体を吸入および圧送し
、循環流路に液体を循環させる。
タンク４０２は、内部に液体を一時的に蓄積し、この液体を循環流路に供給する。なお
、本実施形態に用いられる液体としては、水やエチレングリコール等を例示することがで
きる。
【０１０１】
熱交換装置４０３は、受熱部４３１、熱電変換素子４３２、および放熱部４３３を備え
る。
受熱部４３１は、例えば、内部に液体が流通する複数の微細な流路（図示省略）を有し
、この微細な流路を流れる液体から熱を受熱する。熱電変換素子４３２は、例えば、ペル
チェ素子を備え、受熱部４３１の熱を移動させる。放熱部４３３は、熱電変換素子４３２
で移動された熱を放熱させる。
【０１０２】
複数の管状部材４０４は、柔軟性を有する部材で内部に液体が流通する管状に形成され
、各部材（各保持部３４１、ポンプ４０１、タンク４０２、受熱部４３１）間を環状に接
続する。なお、図１５では、３つの保持部３４１が直列に接続された構成を示したが、３
つの保持部３４１が並列に接続される構成であってもよい。
【０１０３】
吸音器２０５は、詳細な図示は省略するが、実施形態１で説明した吸音器５と同様の構
成を有している。すなわち、吸音器２０５は、薄膜が貼付された第１壁部、および第１空
間で構成された第１の吸音部と、第２壁部および第２空間で構成された第２の吸音部と、
多孔質材で構成された第３の吸音部と、を有している。そして、吸音器２０５は、図１５
に示すように、ポンプ４０１の近傍に配置され、ポンプ４０１の駆動に伴う騒音を低減す
る。
【０１０４】
以上述べたように、本実施形態によれば、プロジェクターは、ポンプ４０１の近傍に配
置された吸音器２０５を備えているので、ポンプ４０１の駆動に伴う騒音が低減される。
よって、光変調装置３４が冷却されることによる投写される画像の画質の劣化を抑制しつ
つ、低騒音化が可能なプロジェクターの提供が可能となる。
【０１０５】
（変形例）
なお、本発明は前述した実施形態に限定されず、前述した実施形態に種々の変更や改良
などを加えることが可能である。以下に変形例を述べる。
前記実施形態の多孔質材５２は、直方体状に限らず、凹凸を有する形状や曲面を有する
形状であってもよい。
【０１０６】
実施形態３、実施形態４では、ダクトユニット７，８が１つの冷却ファン４５から送出
された空気を１つの冷却対象に導く構成を示したが、１つあるいは複数の冷却ファンから
送出された空気を複数の冷却対象に導くダクトユニットを構成してもよい。そして、この
ダクトユニットが複数の吸音器を備える構成であってもよい。
【０１０７】
前記実施形態では、薄膜５１が第１壁部の第１面に貼付された構成を示したが、薄膜５
１が第１壁部の第２面に貼付される構成であってもよい。この構成の場合、第２壁部は、
薄膜５１を介して第１壁部に対向して配置されることとなる。
【０１０８】
実施形態１の波長変換装置３０４は、波長変換素子３０４ａが回転するように構成され
ているが、波長変換素子３０４ａが回転されない固定型の構成であってもよい。
【０１０９】
前記実施形態のプロジェクター１は、赤色光ＬＲ、緑色光ＬＧ、青色光ＬＢに対応する
３つの光変調装置３４Ｒ，３４Ｇ，３４Ｂを備えた、いわゆる３板方式を採用しているが
、これに限らず、単板方式を採用してもよく、あるいは、２つまたは４つ以上の光変調装
置３４を備える構成であってもよい。
また、光変調装置３４としては、透過型の液晶パネルに限らず、反射型の液晶パネルを
利用したものや、マイクロミラー型の装置、例えば、ＤＭＤ（Digital Micromirror Devi
ce）等を利用したものであってもよい。
【０１１０】
実施形態の光源装置３１０は、半導体レーザーを備えて構成されているが、半導体レー
ザーに限らず、発光ダイオードや放電型を備えた構成であってもよい。
【符号の説明】
【０１１１】
１，１０…プロジェクター、５，１５，２５，１０５，２０５…吸音器、３４…光変調
装置、３６…投写レンズ、４１，４５…冷却ファン（回転装置）、５１…薄膜、５２…多
孔質材、６２ａ…側面部（第１壁部）、６２ｈ，７１１ｈ，８１１ｈ…第１孔、６３…隔
壁（第２壁部）、６３ｈ，７２ｈ…第２孔、３０４ｍ…モーター（回転装置）、３１１…
光源、５１１…樹脂層、５１２…接着層、６２１，７１１ｗａ，８１１ｗａ…第１面、６
２２，７１１ｗｂ…第２面、７１１ｗ…立壁（第１壁部）、７２１…板状部（第２壁部）
、８１１ｗ…第１壁部、Ｌ１…間隔、Ｌ２…間隔、Ｌ３…長さ。
【図１】
2019074626.tif 000003
【図２】
2019074626.tif 000004
【図３】
2019074626.tif 000005
【図４】
2019074626.tif 000006
【図５】
2019074626.tif 000007
【図６】
2019074626.tif 000008
【図７】
2019074626.tif 000009
【図８】
2019074626.tif 000010
【図９】
2019074626.tif 000011
【図１０】
2019074626.tif 000012
【図１１】
2019074626.tif 000013
【図１２】
2019074626.tif 000014
【図１３】
2019074626.tif 000015
【図１４】
2019074626.tif 000016
【図１５】
2019074626.tif 000017